【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
ドメイン名をリースするための方法において、
（ａ）電子マーケットプレイスにおいて、賃貸人からドメイン名を受け取ることと、
（ｂ）電子マーケットプレイスを利用して、リダイレクトされるトラフィックのリース用ドメイン名を提示することと、
（ｃ）賃貸人と、賃借人と、入札条件と、賃借人から賃貸人への報酬移動とに関する情報を含む入札を、電子マーケットプレイスにおいて、複数の入札賃借人のそれぞれから受け取ることと、
（ｄ）入札用のキーワードをドメイン名のうちの少なくとも１つと関係付けることによって、それぞれの入札を各ドメイン名と関係付けることと、
（ｅ）各キーワードによって、ドメイン名に関係付けられた入札の額を比較して、少なくとも１つの落札を決定することと、
（ｆ）落札賃借人の落札に関係するインターネットサイトに対して、ドメイン名に関係するトラフィックを自動的にリダイレクトすることとを含み、
それぞれの入札は、入札額と少なくとも１つのキーワードとに関するものである方法。
【請求項２】
（ａ）入札賃借人から受け取る総収入を決定することと、
（ｂ）入札賃借人から受け取る総収入に少なくとも部分的に基づいて、入札賃借人から落札賃借人を選択することとをさらに含む請求項１記載の方法。
【請求項３】
落札賃借人は、特定された時間期間中に、リダイレクトされるトラフィックの独占的な受取人である請求項１記載の方法。
【請求項４】
各落札賃借人の入札の金額と、各落札賃借人によって提供されるキーワードと、各落札賃借人から受け取る総収入と、各落札賃借人の入札によって特定される１回のうちの時間と、各落札賃借人の地理的位置とからなるグループから選択された少なくとも１つの変数を重み付けることによって確立される優先順位ベースで、複数の落札賃借人は、特定された時間期間中に、リダイレクトされるトラフィックを受け取る請求項１記載の方法。
【請求項５】
（ａ）リダイレクトされるトラフィックに対して特定された時間期間中に使われる額に対する上限を各入札賃借人から受け取ることと、
（ｂ）使用された額が上限に達したときに、落札賃借人のインターネットサイトから離れるようにトラフィックをリダイレクトすることとをさらに含む請求項１記載の方法。
【請求項６】
入札賃借人は、複数のドメイン名からリダイレクトされるトラフィックに対して入札する請求項１記載の方法。
【請求項７】
リダイレクトされるトラフィックの前の落札賃借人よりも高く値をつけようとする任意のときに、入札賃借人は、新しい入札を提示してもよく、
（ｃ）ないし（ｆ）を周期的に自動的に繰り返すことをさらに含み、
落札は、ある賃借人から新しい賃借人に変わり、
それによって、新しい賃借人が新しい落札賃借人になる請求項１記載の方法。
【請求項８】
ドメインからリダイレクトされるトラフィックに対する賃借人からの入札の受け取りが成功しなかったときには、電子マーケットプレイスを利用して、スポンサー付きのリンクを賃貸人のドメイン上に自動的に張ることをさらに含む請求項１記載の方法。
【請求項９】
（ａ）落札賃借人からの報酬を集めることと、
（ｂ）ドメイン名の賃貸人に対して報酬を移動させることとをさらに含む請求項１記載の方法。
【請求項１０】
ドメイン名をリースする方法を実行するように、コンピュータシステムの少なくとも１つのプロセッサによって実行可能である１組の命令を記憶しているコンピュータ読み取り可能な媒体において、
前記方法は、
（ａ）電子マーケットプレイスにおいて、賃貸人からドメイン名を受け取ることと、
（ｂ）電子マーケットプレイスを利用して、リダイレクトされるトラフィックのリース用ドメイン名を提示することと、
（ｃ）電子マーケットプレイスにおいて、複数の入札賃借人のそれぞれから入札を受け取ることと、
（ｄ）入札用のキーワードをドメイン名のうちの少なくとも１つと関係付けることによって、それぞれの入札を各ドメイン名と関係付けることと、
（ｅ）各キーワードによって、ドメイン名に関係付けられた入札の額を比較して、少なくとも１つの落札を決定することと、
（ｆ）落札賃借人の落札に関係するインターネットサイトに対して、ドメイン名に関係するトラフィックを自動的にリダイレクトすることとを含み、
それぞれの入札は、入札額と少なくとも１つのキーワードとに関するものであるコンピュータ読み取り可能な媒体。
【請求項１１】
ドメイン名をリースするためのコンピュータシステムにおいて、
（ａ）電子マーケットプレイスにおいて、賃貸人からドメイン名を受け取る手段と、
（ｂ）電子マーケットプレイスを利用して、リダイレクトされるトラフィックのリース用ドメイン名を提示する手段と、
（ｃ）電子マーケットプレイスにおいて、複数の入札賃借人のそれぞれから入札を受け取る手段と、
（ｄ）入札用のキーワードをドメイン名のうちの少なくとも１つと関係付けることによって、それぞれの入札を各ドメイン名と関係付ける手段と、
（ｅ）各キーワードによって、ドメイン名に関係付けられた入札の額を比較して、少なくとも１つの落札を決定する手段と、
（ｆ）落札賃借人の落札に関係するインターネットサイトに対して、ドメイン名に関係するトラフィックを自動的にリダイレクトする手段とを具備し、
それぞれの入札は、入札額と少なくとも１つのキーワードとに関するものであるコンピュータシステム。
【請求項１２】
ドメイン名をリースするためのコンピュータシステムにおいて、
少なくとも１つのプロセッサと、
プロセッサに接続されている記憶デバイスと、
記憶デバイス上の１組の命令とを具備し、
１組の命令は、
プロセッサによって読み取り可能であり、
賃貸人からドメイン名を受け取るドメイン名受け取りモジュールと、
ドメイン名を記憶する少なくとも１つのデータ記憶と、
リダイレクトされるトラフィックのリース用ドメイン名を提示する提示モジュールと、
賃貸人と、賃借人と、入札条件、賃借人から賃貸人への報酬移動とに関する情報を含む入札を、複数の入札賃借人のそれぞれから受け取る入札受け取りモジュールと、
入札用のキーワードをドメイン名のうちの少なくとも１つと関係付けることによって、それぞれの入札を各ドメイン名と関係付ける関係付けモジュールと、
各キーワードによって、ドメイン名に関係付けられた入札の額を比較して、少なくとも１つの落札を決定する比較モジュールと、
落札賃借人の落札に関係するインターネットサイトに対して、ドメイン名に関係するトラフィックを自動的にリダイレクトするリダイレクトモジュールとを含み、
それぞれの入札は、入札額と少なくとも１つのキーワードとに関するものであり、
情報は、データ記憶中に記憶されるコンピュータシステム。
【請求項１３】
ドメイン名をリースするための方法において、
（ａ）電子マーケットプレイスにおいて、賃貸人のドメイン名を受け取ることと、
（ｂ）電子マーケットプレイスを利用して、リダイレクトされるトラフィックのリース用ドメイン名を提示することと、
（ｃ）複数の賃借人のそれぞれから入札を受け取ることと、
（ｄ）繰り返し、
（ｉ）入札額とは異なる要素を受け取り、
（ｉｉ）要素を入札と関係付けることと、
（ｅ）それぞれの入札を各ドメイン名と関係付けることと、
（ｆ）ドメイン名に関係付けられた入札の額を比較することと、
（ｇ）賃借人の落札に関係するインターネットサイトに対して、ドメイン名に関係するトラフィックを自動的にリダイレクトすることとを含み、
それぞれの入札は、入札額に関するものであり、
少なくとも１つの落札は、入札額の比較と要素とに基づいて決定され、
落札は、要素の変化に応じて変わる方法。
【請求項１４】
要素は、賃借人によるキーワードと賃貸人のドメイン名との整合である請求項１３記載の方法。
【請求項１５】
ドメイン名をリースする方法を実行するように、コンピュータシステムの少なくとも１つのプロセッサによって実行可能である１組の命令を記憶しているコンピュータ読み取り可能な媒体において、
前記方法は、
（ａ）電子マーケットプレイスにおいて、賃貸人のドメイン名を受け取ることと、
（ｂ）電子マーケットプレイスを利用して、リダイレクトされるトラフィックのリース用ドメイン名を提示することと、
（ｃ）複数の賃借人のそれぞれから入札を受け取ることと、
（ｄ）繰り返し、
（ｉ）入札額とは異なる要素を受け取り、
（ｉｉ）要素を入札と関係付けることと、
（ｅ）それぞれの入札を各ドメイン名と関係付けることと、
（ｆ）ドメイン名に関係付けられた入札の額を比較することと、
（ｇ）賃借人の落札に関係するインターネットサイトに対して、ドメイン名に関係するトラフィックを自動的にリダイレクトすることとを含み、
それぞれの入札は、入札額に関するものであり、
少なくとも１つの落札は、入札額の比較と要素とに基づいて決定され、
落札額は、要素の変化に応じて変わるシステム。
【請求項１６】
ドメイン名をリースするためのコンピュータシステムにおいて、
（ａ）電子マーケットプレイスにおいて、賃貸人のドメイン名を受け取る手段と、
（ｂ）電子マーケットプレイスを利用して、リダイレクトされるトラフィックのリース用ドメイン名を提示する手段と、
（ｃ）複数の賃借人のそれぞれから入札を受け取る手段と、
（ｄ）繰り返し、
（ｉ）入札額とは異なる要素を受け取り、
（ｉｉ）要素を入札と関係付ける手段と、
（ｅ）それぞれの入札を各ドメイン名と関係付ける手段と、
（ｆ）ドメイン名に関係付けられた入札の額を比較する手段と、
（ｇ）賃借人の落札に関係するインターネットサイトに対して、ドメイン名に関係するトラフィックを自動的にリダイレクトする手段とを具備し、
それぞれの入札は、入札額に関するものであり、
少なくとも１つの落札は、入札額の比較と要素とに基づいて決定され、
落札は、要素の変化に応じて変わるシステム。
【請求項１７】
ドメイン名をリースするためのコンピュータシステムにおいて、
少なくとも１つのプロセッサと、
プロセッサに接続されている記憶デバイスと、
記憶デバイス上の１組の命令とを具備し、
１組の命令は、
プロセッサによって読み取り可能であり、
賃貸人からドメイン名を受け取るドメイン名受け取りモジュールと、
ドメイン名を記憶する少なくとも１つのデータ記憶と、
リダイレクトされるトラフィックのリース用ドメイン名を提示する提示モジュールと、
複数の賃借人のそれぞれから、入札額についての入札を受け取る入札受け取りモジュールと、
繰り返し、
（ｉ）入札額とは異なる要素を受け取り、
（ｉｉ）要素を入札と関係付ける繰り返しモジュールと、
それぞれの入札を各ドメイン名と関係付ける関係付けモジュールと、
ドメイン名に関係付けられた入札の額を比較する比較モジュールと、
賃借人の落札に関係するインターネットサイトに対して、ドメイン名に関係するトラフィックを自動的にリダイレクトするリダイレクトモジュールとを含み、
入札は、データ記憶中に記憶され、
少なくとも１つの落札は、入札額の比較と要素とに基づいて決定され、
落札は、要素の変化に応じて変わるコンピュータシステム。
【手続補正２】
【補正対象書類名】明細書
【補正対象項目名】０００８
【補正方法】変更
【補正の内容】
【０００８】
米国特許出願第２００１００４５６５７号では、第３レベルドメインとして知られているサブドメインをドメイン所有者がサブライセンスできるようにするシステムを示している。例えば、ｈｏｕｓｅ．ｃｏｍの所有者は、ｃｈｉｃａｇｏ．ｈｏｕｓｅ．ｃｏｍまたはｐｈｉｌａｄｅｌｐｈｉａ．ｈｏｕｓｅ．ｃｏｍにサブライセンスすることができる。このモデルには、２つの重大な制限がある。第１に、ウェブをサーファーする個人は、ｃｈｉｃａｇｏ．ｈｏｕｓｅ．ｃｏｍのような第３レベルドメインと比較されるｈｏｕｓｅ．ｃｏｍのような第２レベルドメインを非常にタイプ入力しやすい。したがって、第２レベルドメインに対してアクセスを提供するサービスは、広告主にとって、非常に魅力的である。第２に、サブドメインは固定料金に対して簡単にライセンスされるので、ドメインの適正価格を識別するメカニズムはない。  
ｅＢａｙでは、ユーザはトラフィックのブロックを販売する。例えば、落札者のウェブサイトに送られるであろう１０，０００人のユーザに対するオークションを、ユーザが作り出す。オークションの落札者は、使用されていないドメインからのリダイレクトを含むさまざまなソースからトラフィックを受け取る。このモデルに伴う問題は、トラフィックを送るであろう特定のドメインを、広告主がピックアップする機会がないことである。別の問題は、固定されたブロックのトラフィックを広告主が入札するので、連続レベルのリダイレクトされるトラフィックを有するために、広告主は別々のロットでブロックを購入し続けなければならない。
【手続補正３】
【補正対象書類名】明細書
【補正対象項目名】０００９
【補正方法】変更
【補正の内容】
【０００９】
【特許文献１】米国特許第６８２６５７２号明細書
【特許文献２】米国特許出願公開第２００２／０１０３７４０号明細書
【特許文献３】米国特許出願公開第２００２／００１９８００号明細書
【特許文献４】米国特許第５７２４５２１号明細書
【特許文献５】米国特許第５８５５００８号明細書
【特許文献６】米国特許第６２６９３６１号明細書
【特許文献７】米国特許出願公開第２００１／００３４６５７号明細書
【特許文献８】米国特許出願公開第２００６／００６９７８４号明細書
【特許文献９】米国特許第６２０２０５１号明細書
【特許文献１０】米国特許出願公開第２００５／００２１５８８号明細書
【特許文献１１】米国特許出願公開第２００５／００２７８８２号明細書
【特許文献１２】米国特許出願公開第２００５／０１０５５１３号明細書
【特許文献１３】米国特許第７１８８１３８号明細書
【非特許文献１】国際特許出願第ＰＣＴ／ＵＳ０８／５７０７０号に対する国際調査報告（International Search Report）、２００８年８月４日
【非特許文献２】アングウィン(Angwin)、「これらのサイトの場合に、これらのサイトの最高の資産は良い名前である（For These Sites, Their Best Assets is a Good Name）」、（米国）、ウォールストリートジャーナル（Wall Street Journal）、２００６年５月１日、ｐ．Ｂ１
【非特許文献３】ジャクソン（Jackson）、「パーキング企業があなたのポートフォリオをなぜ入手したく、何のドメインスポンサー．ｃｏｍがあなたのポートフォリオを入手しようと試みているか (Why Parking Companies Want Your Portfolio and What DomainSponsor.com is Doing to Try to Get it,)」、（米国）、ドメイン名ジャーナル（Domain Name Journal）、２００４年１０月
【非特許文献４】スワルツ(Swartz)、「ドメイン名は高価な不動産になる（Domain names Become Premium Web Real Estate,）」、（米国）、ＵＳＡトゥデイ（USA Today）、２００６年５月９日
【非特許文献５】ウォーカー（Walker）、「ウェブの１００万ドルの類型（The Web’s Million Dollar Typos）」、（米国）、ワシントンポスト（The Washington Post）、２００６年４月３０日、p. Ｆ０１
【非特許文献６】「ドメイン名から収入を発生させる（Generating Income from Domain Names）」、［online］、インターネット＜http://www.NameNewbie.com/ Domain_income.html＞
【非特許文献７】「あなたのウェブサイトを見る１０，０００人の実際のトラフィックビジタ（10,000 Real Traffic Visitors Viewing Your Web Site）」、［online］、インターネット＜http://cgi.ebay.com/10-000-Real-Traffic-Visitors-Viewing...＞
【非特許文献８】ウーグル（OOGLE）、「広告活動向けの現在の賃貸／リース用ウーグルドットコム(OOGLE.COM Currently for Rent/ Lease for Advertising）」、［online］、２００５年９月７日、インターネット＜http://www.webhostingtalk.com/archive/index.php/t-441504.html＞
【非特許文献９】グーグル（Google）、グーグルＡｄ Ｗｏｒｄラーニングセンター（Google Adwords Learning Center）、［online］、２００５年６月２５日、インターネット＜http://www.google.com/adwordws/learningcenter/text/＞
【非特許文献１０】ビジタビッドドットコム（VISITORBID.COM）、「よくある質問（ＦＡＱ）」、［online］、２００２年、アドバタイジングドットコム(Addvertising.com)、インターネット＜http://www.bidvisitor.com/faq.html＞、ｐ.１〜５
【手続補正４】
【補正対象書類名】明細書
【補正対象項目名】００２０
【補正方法】変更
【補正の内容】
【００２０】
入札データベース６０３は、オークションにおける入札を保持する。入札データベース６０３中の各記録は、一意的な入札識別子と、入札に関係するオークション識別子と、入札者の賃借人識別子と、入札が行われた時間を取り込むタイプスタンプとを含む。リダイレクトデータベース６０４は、賃貸人ドメイン名からのウェブトラフィックを、オークションに勝った賃借人のドメイン名にリダイレクトするために使用される。
【手続補正５】
【補正対象書類名】明細書
【補正対象項目名】００２２
【補正方法】変更
【補正の内容】
【００２２】
図２ｂは、賃借人２００がマーケットプレイス５００に登録するプロセスの例を提供している。賃借人は、一意的なユーザ名と、パスワードと連絡先ｅメールとを提供する２１０１。次に、賃借人は、口座番号と銀行ルーティング番号と銀行名とを含む銀行情報を提供する２００２。銀行情報は、マーケットプレイス５００と賃貸人１００とに対して支払う義務がある資金を同意ベースで引き出すために使用される。次に、ウェブトラフィックをリダイレクトすることを希望する１つ以上のドメイン名を、賃借人が提供する２１０３。以下で説明するように、ドメイン名における入札時に、登録中に提供されているドメイン名のうちのどれに対してインターネットトラフィックがリダイレクトされるべきかについて、賃借人は示す。次に、マーケットプレイス５００が、一意的な識別子を賃借人に割り当てて、登録を確認するｅメールを賃借人に送る２１０５。最後に、賃借人２００に関する情報のすべてが、賃借人データベース６０１中に記憶される。
【手続補正６】
【補正対象書類名】明細書
【補正対象項目名】００３９
【補正方法】変更
【補正の内容】
【００３９】
マーケットプレイスによって、賃借人がドメインを大量に入札することができる。例えば、賃借人は、あるカテゴリまたは複数のカテゴリにおけるすべてのドメインに対する入札を特定することができる。代わりに、賃借人は、入札する１組のドメインを手動で選択して、選択したドメインのすべてに対して１つの値を提供することができる。そして、マーケットプレイスはその入札が最高であるドメイン、または、その入札が１組の落札のうちの１つであるドメインを賃借人に知らせる。
【手続補正７】
【補正対象書類名】明細書
【補正対象項目名】００４１
【補正方法】変更
【補正の内容】
【００４１】
さらに、賃借人２００は、賃借人がウェブサーファーをリダイレクトすることを望むドメイン名に関するキーワードも提供する。そして、マーケットプレイス５００はキーワードをこれらのキーワードを含む賃貸人のドメイン名と整合させる。賃借人は、賃借人のドメインにリダイレクトされるウェブサーファーに当たりに支払う意志がある額も提供する。そして、図２ｂの一部分としてステップ２１０３では、ドメイン名を提供することに加えて、賃借人は、各ドメイン名に関連する１組のキーワードと、リダイレクトされるウェブサーファー当たりに賃借人が支払うドメイン名当たりの金額とを提供する。図３および図４において記述した入札の代わりに、図７において記述されている整合アルゴリズムが使用される。ステップ７００１では、整合アルゴリズムが実行された最後の時間からある時間の量が過ぎた、例えば、５分過ぎたか否かをマーケットプレイス５００がチェックする。最後の実行時間は、データベース中に記録することができる。必要な時間の量が過ぎてない場合、ステップ７００２において、マーケットプレイスは、１分待機し、そして、ステップ７００１に戻る。最後の実行から十分な時間が経過していた場合、マーケットプレイス５００は、１人の賃借人を選択して７００３、賃借人によって提供された１つのキーワードを選択する７００４。そして、マーケットプレイス５００は、登録された賃貸人ドメイン名のすべてをそのキーワードに対してサーチする。そのキーワードを含むすべてのドメイン名が、識別され、それぞれの整合に対して、リダイレクトデータベース６０４中に記録が作られる。次に、マーケットプレイス５００は、別のキーワードが賃借人によって提供されたか否かをチェックし７００７、もし提供されていれば、そのキーワードに対してステップ７００４から７００５を繰り返す。いったん、賃借人２００に関するすべてのキーワードが処理されると、マーケットプレイス５００は、処理されていない別の賃借人２００に対してチェックする。処理されている、またはドメイン名と整合されている賃借人を追跡するために、データベースを使用することができる。処理されていない賃借人２００をマーケットプレイス５００が発見した場合、マーケットプレイス５００は、７００３で始まるステップを繰り返し、またはさもなければ、マーケットプレイス５００は、待機状態に戻る７００２。続いて、先に記述したように、整合アルゴリズムを実行した後、複数の賃借人２００が賃貸人１００のドメイン名と整合するとき、マーケットプレイス５００はラウンドロビンを使用することができる。代わりに、マーケットプレイス５００は、先に記述したように、より高い入札に割合を割り当てることができる。
【手続補正８】
【補正対象書類名】明細書
【補正対象項目名】００４４
【補正方法】変更
【補正の内容】
【００４４】
さらに、本発明の別の実施形態では、賃借人は、１組のキーワードと、賃借人のドメインにリダイレクトされるビジタ当たり賃借人が支払うであろう金額とを提供する。賃貸人は、マーケットプレイスに登録して、賃貸人のドメインからリダイレクトされるビジタ当たりの最低金額を提供する。そして、ソフトウェアプログラムは、個々の賃借人によって与えられたキーワードのうちの１つ以上のキーワードを含み、マーケットプレイスに登録されたドメイン名を発見することによって、賃借人を賃貸人と整合させる。すなわち、これらのドメインに対して、特定された最低金額が個々の賃借人によって供給される金額より少ないかをプログラムがチェックする。複数の賃借人が賃貸人と整合性があるときのケースでは、ラウンドロビンを使用して、賃借人に関係するドメインにウェブサーファーをリダイレクトする。より高い入札を有する賃借人は、リダイレクトされるウェブサーファーのより高い割合を受け取ることができる。
【手続補正９】
【補正対象書類名】明細書
【補正対象項目名】００４７
【補正方法】変更
【補正の内容】
【００４７】
さらなる実施形態では、予め特定された地理的位置からのものであるとしてウェブサーファーが識別された場合のみ、ウェブサーファーは、賃貸人の２００のドメイン名にリダイレクトされる。この実施形態では、賃借人が、図３中のステップ３００４において入札するとき、入札に関係付けたい地理的制限を提供する。マーケットプレイスは、図５中のステップ５００２において地理的制限を使用する。ウェブサーファーのＩＰアドレスを見ることによって、マーケットプレイスは、ウェブサーファーの一般的な地理的位置を決定することができる。ウェブサーファーが、要求された領域内であるときのみ、マーケットプレイス５００は、そのユーザを賃借人２００にリダイレクトする。
【手続補正１０】
【補正対象書類名】明細書
【補正対象項目名】００４９
【補正方法】変更
【補正の内容】
【００４９】
さらに、ウェブサーファーが賃貸人１００ドメインから賃借人２００のウェブサイトにリダイレクトされた後に、マーケットプレイスは、ウェブサーファーのアクションを追跡したり捕捉したりもできる。この追跡を実現する１つの方法は、マーケットプレイス５００サーバからロードする画像リンクを、賃借人２００に属しているページ上に張ることによる。したがって、これらの画像がロードされるいかなるときも、マーケットプレイス５００はリダイレクトデータベース６０４中でアクションを捕捉することができる。
【手続補正１１】
【補正対象書類名】明細書
【補正対象項目名】００５０
【補正方法】変更
【補正の内容】
【００５０】
グーグルのＡｄＳｅｎｓｅのように、ドメインに対する入札に賃借人が成功するまで、賃貸人のドメイン上にスポンサー付きリンクを張ることも可能である。スポンサー付きリンクにより、１組のリンクがウェブページ上に張られる。賃貸人のドメインがウェブブラウザにタイプされたときに、このようなウェブページが現れる。スポンサー付きリンクにおける各クリックは、賃貸人にお金をもたらす。いったん賃借人が賃貸人と整合されると、スポンサー付きのリンクの代わりにリダイレクトモデルを使用することができる。